(57)【要約】【課題】  ＳｃａｎＴｏＳｅｒｖｅｒを実行するための設定を間違い無く、且つ簡易に実行できる情報処理システムを提供する。【解決手段】  本発明の情報処理システムは、画像データを保存する画像処理装置と、前記画像データを記憶する外部記憶装置と、携帯端末とを備える情報処理システムであって、前記携帯端末は、前記ネットワーク上の前記外部記憶装置の内から選択された１の外部記憶装置への接続設定情報を作成するアプリケーション部と、前記接続設定情報を送信する送信部とを備え、前記画像処理装置は、前記接続設定情報を受信する受信部と、前記受信部により受信した前記接続設定情報に従い、前記画像データを前記外部記憶装置に送信する制御を行う制御部とを備えることを特徴とする。【選択図】      図１
2017098828.tif 000002
【特許請求の範囲】
【請求項１】
画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムであって、
前記携帯端末は、
前記ネットワーク上に存在する１又は２以上の前記外部記憶装置の内から選択された１の外部記憶装置への接続の設定に関する接続設定情報を作成するアプリケーション部と、
前記接続設定情報を送信する送信部と
を備え、
前記画像処理装置は、
前記接続設定情報を受信する受信部と、
前記受信部により受信した前記接続設定情報に従い、前記画像データを前記外部記憶装置に送信する制御を行う制御部と
を備えることを特徴とする情報処理システム。
【請求項２】
前記制御部は、前記外部記憶装置への前記画像データの送信が失敗した場合には、前記携帯端末に対して、前記画像データを含む所定のデータを送信して、前記外部記憶装置に前記画像データを送信する処理の代行を指示することを特徴とする請求項１に記載の情報処理システム。
【請求項３】
前記携帯端末は、前記画像データを含む所定のデータを受信した場合には、前記接続設定情報に従い、前記画像データを前記外部記憶装置に送信する制御を行う代行制御部を備えることを特徴とする請求項２に記載の情報処理システム。
【請求項４】
画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける携帯端末であって、
前記ネットワーク上に存在する１又は２以上の前記外部記憶装置の内から選択された１の外部記憶装置への接続の設定に関する接続設定情報を作成するアプリケーション部と、
前記接続設定情報を送信する送信部と
を備えることを特徴とする携帯端末。
【請求項５】
画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける携帯端末に搭載されるコンピュータを、
前記ネットワーク上に存在する１又は２以上の前記外部記憶装置の内から選択された１の外部記憶装置への接続の設定に関する接続設定情報を作成するアプリケーション部と、
前記接続設定情報を近送信する送信部と
して機能させることを特徴とする設定プログラム。
【請求項６】
画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける画像処理装置であって、
前記携帯端末により送信された所定の外部記憶装置への接続の設定に関する接続設定情報を受信する受信部と、
前記受信部により受信した前記接続設定情報に従い、前記画像データを前記外部記憶装置に送信する制御を行う制御部と
を備えることを特徴とする画像処理装置。
【請求項７】
画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける画像処理装置に搭載されるコンピュータを、
前記携帯端末により送信された所定の外部記憶装置への接続の設定に関する接続設定情報を受信する受信部と、
前記受信部により受信した前記接続設定情報に従い、前記画像データを前記外部記憶装置に送信する制御を行う制御部と
して機能させることを特徴とする情報処理プログラム。
【発明の詳細な説明】
【技術分野】
【０００１】
この発明は、情報処理システム、携帯端末、設定プログラム、画像処理装置、及び情報処理プログラムに関し、例えば、スキャンした画像データをネットワーク上で共有管理するシステムに適用し得る。
【背景技術】
【０００２】
従来、スキャナ等により、読み取った画像データを、ネットワーク上の共有フォルダ（サーバ）に格納する（以下、「ＳｃａｎＴｏＳｅｒｖｅｒ」とも呼ぶ。）機能を有する画像処理装置が存在する。例えば、特許文献１には、事前に画像データを格納するサーバのアドレス等を設定した上で、ＳｃａｎＴｏＳｅｒｖｅｒを実行する画像処理装置が開示されている。
【先行技術文献】
【特許文献】
【０００３】
【特許文献１】特開２００５−９４４４４号公報
【発明の概要】
【発明が解決しようとする課題】
【０００４】
しかしながら、事前に画像処理装置（複合機等）に設定する情報には、サーバのアドレスの他にも、サーバにログインためのユーザ情報等の多くの情報が存在する。よって、複合機には、設定する情報の多さも相俟って、間違った情報が設定される可能性がある。
【０００５】
そのため、ＳｃａｎＴｏＳｅｒｖｅｒを実行するための設定を間違い無く、且つ簡易に実行できる情報処理システム、携帯端末、設定プログラム、画像処理装置、及び情報処理プログラムが望まれている。
【課題を解決するための手段】
【０００６】
第１の本発明は、画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムであって、前記携帯端末は、（１）前記ネットワーク上に存在する１又は２以上の前記外部記憶装置の内から選択された１の外部記憶装置への接続の設定に関する接続設定情報を作成するアプリケーション部と、（２）前記接続設定情報を送信する送信部とを備え、前記画像処理装置は、（３）前記接続設定情報を受信する受信部と、（４）前記受信部により受信した前記接続設定情報に従い、前記画像データを前記外部記憶装置に送信する制御を行う制御部とを備えることを特徴とする。
【０００７】
第２の本発明は、画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける携帯端末であって、（１）前記ネットワーク上に存在する１又は２以上の前記外部記憶装置の内から選択された１の外部記憶装置への接続の設定に関する接続設定情報を作成するアプリケーション部と、（２）前記接続設定情報を送信する送信部とを備えることを特徴とする。
【０００８】
第３の本発明の設定プログラムは、画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける携帯端末に搭載されるコンピュータを、（１）前記ネットワーク上に存在する１又は２以上の前記外部記憶装置の内から選択された１の外部記憶装置への接続の設定に関する接続設定情報を作成するアプリケーション部と、（２）前記接続設定情報を送信する送信部として機能させることを特徴とする。
【０００９】
第４の本発明は、画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける画像処理装置であって、（１）前記携帯端末により送信された所定の外部記憶装置への接続の設定に関する接続設定情報を受信する受信部と、（２）前記信受信部により受信した前記接続設定情報に従い、前記画像データを前記外部記憶装置に送信する制御を行う制御部とを備えることを特徴とする。
【００１０】
第５の本発明の情報処理プログラムは、画像データを保存する画像処理装置と、前記画像処理装置とネットワークを介して接続し、前記画像データを記憶する１又は２以上の外部記憶装置と、前記画像処理装置から前記外部記憶装置への接続の設定を支援する携帯端末とを備える情報処理システムにおける画像処理装置に搭載されるコンピュータを、（１）前記携帯端末により送信された所定の外部記憶装置への接続の設定に関する接続設定情報を受信する受信部と、（２）前記受信部により受信した前記接続設定情報に従い、前記画像データを前記外部記憶装置に送信する制御を行う制御部として機能させることを特徴とする。
【発明の効果】
【００１１】
本発明によれば、ＳｃａｎＴｏＳｅｒｖｅｒを実行するための設定を間違い無く、且つ簡易に実行できる。
【図面の簡単な説明】
【００１２】
【図１】実施形態に係る情報処理システムの全体構成を示すブロック図である。
【図２】実施形態に係る複合機の内部構成を示すブロック図である。
【図３】実施形態に係るモバイル端末の内部構成を示すブロック図である。
【図４】実施形態に係るサーバ接続設定データの一例を示す説明図である。
【図５】実施形態に係る代行実施指示データの一例を示す説明図である。
【図６】実施形態に係るモバイル端末による代行実施の結果を示す代行実施結果データの一例である。
【図７】実施形態に係る情報処理システムの動作（モバイル端末が実行するファイルサーバへの接続設定）を示す説明図である
【図８】実施形態に係る情報処理システムの動作（複合機が実行するＳｃａｎＴｏＳｅｒｖｅｒ）を示すフローチャートである。
【図９】実施形態に係るＳｃａｎＴｏＳｅｒｖｅｒ実行可否画面の一例を示す説明図である。
【図１０】実施形態に係る代行実施選択画面の一例を示す説明図である。
【図１１】実施形態に係る情報処理システムの動作（モバイル端末が実行する代行実施の処理）を示すフローチャートである。
【図１２】実施形態に係る代行実施成功画面の一例を示す説明図である。
【図１３】実施形態に係る代行実施失敗画面の一例を示す説明図である。
【発明を実施するための形態】
【００１３】
（Ａ）主たる実施形態
以下、本発明による情報処理システム、携帯端末、設定プログラム、画像処理装置、及び情報処理プログラムの実施形態を、図面を参照しながら詳述する。
【００１４】
（Ａ−１）実施形態の構成
図１は、この実施形態に係る情報処理システム１の全体構成を示すブロック図である。ネットワークＮ上には、実施形態に係る複合機１００、携帯端末としてのモバイル端末２００及びファイルサーバ３００が接続されている。なお、ネットワークＮの接続構成や通信仕様等は限定されないものであり、例えば、イーサネット（登録商標）等により構成されたＬＡＮ（Ｌｏｃａｌ  Ａｒｅａ  Ｎｅｔｗｏｒｋ）としても良い。
【００１５】
また、ネットワークＭ上には、複合機１００及びモバイル端末２００が接続されている。ネットワークＭの接続構成や通信仕様等は限定されないものであるが、この実施形態では、ＮＦＣ（Ｎｅａｒ  Ｆｉｅｌｄ  Ｃｏｍｍｕｎｉｃａｔｉｏｎ：近距離無線通信）の通信方式を採用しているものとする。なお、ネットワークＭは、上記以外にも、例えば無線ＬＡＮ、ＺｉｇＢｅｅ（登録商標）やＢｌｕｅｔｏｏｔｈ（登録商標）等の種々の通信方式を採用しても良い。
【００１６】
図２は、この実施形態に係る複合機の内部構成を示すブロック図である。
【００１７】
図２において、複合機１００は、画像読取部１０１、画像処理部１０２、通信部１０３、近距離無線通信部１０４、操作パネル部１０５、記憶部１０８、印刷部１０９、及び制御部１１０を有する。
【００１８】
なお、この実施形態の複合機は、各部分をハードウェアで構成することも可能であり、また、ＣＰＵが実行するソフトウェア（情報処理プログラム）とＣＰＵとで実現することも可能であるが、いずれの実現方法を採用した場合であっても、機能的には図２で表すことができる。
【００１９】
画像読取部１０１は、操作パネル部１０５を介したユーザの操作に応じて、制御部１１０の制御のもとに原稿を読み取る。画像読取部１０１は、読み取ったデータを画像処理部１０２に供給する。
【００２０】
画像処理部１０２は、制御部１１０の制御のもとに、画像読取部１０１によって原稿を読み取って得られたデータに対して所定の画像処理を施し、例えば、ＰＤＦ（Ｐｏｒｔａｂｌｅ  Ｄｏｃｕｍｅｎｔ  Ｆｏｒｍａｔ）、ＴＩＦＦ（Ｔａｇｇｅｄ  Ｉｍａｇｅ  Ｆｉｌｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）等、所定のフォーマットの画像データを生成する。画像処理部１０２は、生成した画像データを通信部１０３に供給する。
【００２１】
通信部１０３は、ネットワークＮを介し、ファイルサーバ３００及びモバイル端末２００とデータの送受信を行う。
【００２２】
近距離無線通信部１０４は、ネットワークＭ（ＮＦＣ）を介し、モバイル端末２００とデータの送受信を行う。近距離無線通信部１０４は、受信部の一例である。
【００２３】
操作パネル部１０５は、当該複合機１００のユーザが操作するユーザインターフェースであり、操作部１０６及び表示部１０７を有する。
【００２４】
操作部１０６は、画像読取部１０１による原稿の読取開始や画像データ送信のキャンセル等、各種操作指示を行うために設けられる。この操作部１０６を介して入力された操作指示は、制御部１１０に供給される。また、表示部１０７は、制御部１１０の制御のもとに、画像データの送信先情報等、各種情報を表示画面上に表示する。例えば、操作部１０６及び表示部１０７は、ＬＣＤ（Ｌｉｑｕｉｄ  Ｃｒｙｓｔａｌ  Ｄｉｓｐｌａｙ）を備えるタッチパネルにより実現することができる。なお、操作部１０６には、キーボード等を有する入力デバイスが含まれていても良い。
【００２５】
記憶部１０８は、当該複合機１００での処理に必要な情報を記憶する。例えば、記憶部１０８は、ファイルサーバ３００との接続設定を記憶する。
【００２６】
印刷部１０９は、制御部１１０の制御のもとに、データの編集、展開及び印刷を行う。例えば、印刷部１０９は、画像読取部１０１で読み取られた画像データに基づく画像の印刷、通信部１０３で受信された印刷データに基づく画像の印刷を行う。
【００２７】
制御部１１０は、図示しないＣＰＵ（Ｃｅｎｔｒａｌ  Ｐｒｏｃｅｓｓｉｎｇ  Ｕｎｉｔ）等から構成され、各部を統括的に制御し、当該複合機１００の動作を制御する。
【００２８】
図３は、この実施形態に係るモバイル端末の内部構成を示すブロック図である。
【００２９】
モバイル端末２００は、操作パネル部２０１、近距離無線通信部２０２、通信部２０３、アプリケーション部２０４、記憶部２０５、及び制御部２０６を有する。
【００３０】
なお、この実施形態のモバイル端末は、各部分をハードウェアで構成することも可能であり、また、ＣＰＵが実行するソフトウェア（設定プログラム）とＣＰＵとで実現することも可能であるが、いずれの実現方法を採用した場合であっても、機能的には図３で表すことができる。
【００３１】
操作パネル部２０１は、当該モバイル端末２００のユーザが操作するユーザインターフェースである。例えば、操作パネル部２０１は、ＬＣＤを備えるタッチパネルにより実現することができる。
【００３２】
近距離無線通信部２０２は、ネットワークＭ（ＮＦＣ）を介し、複合機１００とデータの送受信を行う。近距離無線通信部２０２は、送信部の一例である。
【００３３】
通信部２０３は、ネットワークＮを介し、ファイルサーバ３００とデータの送受信を行う。
【００３４】
アプリケーション部２０４は、ファイルサーバ３００への接続設定をユーザに支援（ガイド）する機能を有する。アプリケーション部２０４は、ユーザをガイドすることにより、ファイルサーバ３００との接続設定データを作成する。
【００３５】
記憶部２０５は、当該モバイル端末２００での処理に必要な情報を記憶する。例えば、記憶部２０５は、アプリケーション部２０４のガイドにより作成されたファイルサーバ３００との接続設定データを記憶する。
【００３６】
制御部２０６は、図示しないＣＰＵ等から構成され、各部を統括的に制御し、当該モバイル端末２００の動作を制御する。制御部２０６は、代行制御部の一例である。
【００３７】
次に、モバイル端末２００のアプリケーション部２０４が実行するファイルサーバ３００への接続設定について詳細な説明を行う。
【００３８】
アプリケーション部２０４は、ユーザによる操作パネル部２０１を介した検索実行の受付により、ネットワークＮに接続するファイルサーバ３００の検索を実行する。そして、アプリケーション部２０４は、検索実行結果であるファイルサーバ３００の一覧を、操作パネル部２０１に表示する。アプリケーション部２０４は、操作パネル部２０１を介して、ユーザにより任意のファイルサーバ３００が選択されると、ファイルサーバ３００にアクセスするための、ユーザ名と、パスワードの入力の受付を開始する。アプリケーション部２０４は、選択されたファイルサーバ３００の共有フォルダのＵＲＬ、入力されたユーザ名、及びパスワード等のサーバの接続に関する情報を、記憶部２０５に記憶する。
【００３９】
そして、モバイル端末２００は、近距離無線通信部２０２を介して、記憶部２０５に記憶したサーバ接続設定データＴ１を複合機１００に送信する。
【００４０】
図４は、複合機１００に送信するサーバ接続設定データの一例を示す説明図である。図４において、サーバ接続設定データＴ１は、当該データの種別（種類）を示す種別４００と、アプリケーション部２０４のガイドにより決定されたファイルサーバ３００の共有フォルダのアドレス（画像データの格納先）を示す接続先ＵＲＬ４０１と、ファイルサーバ３００へアクセスするためのユーザ名を示すユーザ名４０２と、ファイルサーバ３００へアクセスするためのパスワードを示すパスワード４０３と、ファイルサーバ３００へアクセスする通信プロトコルを示すプロトコル４０４とを含む。
【００４１】
図４では、サーバ接続設定データＴ１は、種別４００が、「サーバ接続設定」であり、接続先ＵＲＬ４０１が、「￥￥ｓｅｒｖｅｒ１￥ｃｏｍｍｏｎ￥ｔｅｓｔｕｓｅｒ１」であり、ユーザ名４０２が、「ｔｅｓｔｕｓｅｒ１」であり、パスワード４０３が、「＊＊＊＊」であり、プロトコル４０４が「ＣＩＦＳ（Ｃｏｍｍｏｎ  Ｉｎｔｅｒｎｅｔ  Ｆｉｌｅ  Ｓｙｓｔｅｍ）」である例が示されている。なお、プロトコル４０４に設定するプロトコルは、上記例に限らず、ファイルサーバ３００が対応する種々のプロトコル（例えば、ＦＴＰ、ＨＴＴＰ等）を設定することができる。また、図４の例では、パスワードは、セキュリティ上の観点からアスタリスク(＊)で表示しているが、内部では、所定の数値若しくは文字又はその組み合わせで保持している。
【００４２】
次に、複合機１００（制御部１１０）が実行するＳｃａｎＴｏＳｅｒｖｅｒ機能について詳細な説明を行う。
【００４３】
制御部１１０は、近距離無線通信部１０４を介して、モバイル端末２００からサーバ接続設定データＴ１を受信する。制御部１１０は、受信したサーバ接続設定データＴ１を記憶部１０８に記憶する。その後、制御部１１０は、画像読取部１０１により原稿が読み取られ、画像処理部１０２により所定の処理が施された画像データを、サーバ接続設定データＴ１に従い、ファイルサーバ３００の共有フォルダに送信する制御を行う。
【００４４】
制御部１１０は、ファイルサーバ３００に正常に画像データが送信（記憶）された場合には、ＳｃａｎＴｏＳｅｒｖｅｒは成功したと判定して処理を終了する。一方、制御部１１０は、ファイルサーバ３００に画像データの送信（記憶）が失敗した場合には、ＳｃａｎＴｏＳｅｒｖｅｒは失敗したと判定してモバイル端末２００に画像データの送信の代行を行わせる。
【００４５】
図５は、複合機１００からモバイル端末２００に送信する代行実施指示データの一例を示す説明図である。
【００４６】
図５において、代行実施指示データＴ２は、当該データの種別（種類）を示す種別４１０と、ファイルサーバ３００への送信を代行する画像データを示す画像データ４１１とを含む。図５では、代行実施指示データＴ２は、種別４１０が、「代行指示」であり、画像データが、「スキャンしたデータ」である例を示している。上記の「スキャンしたデータ」は、画像読取部１０１によって読みとられた後に、画像処理部１０２によって生成された画像データ（言い換えれば、ファイルサーバ３００に格納する画像データ）である。
【００４７】
モバイル端末２００は、複合機１００から代行実施指示データを受信すると、代行実施指示データＴ２から画像データを抽出する。そして、モバイル端末２００は、抽出した画像データをファイルサーバ３００に送信する。モバイル端末２００は、複合機１００の代わりに画像データをファイルサーバ３００に格納する処理（代行実施）の結果（代行実施結果データＴ３）を複合機１００に送信する。
【００４８】
図６は、モバイル端末２００から複合機１００に送信するモバイル端末２００による代行実施の結果を示す代行実施結果データの一例である。
【００４９】
図６において、代行実施結果データＴ３は、当該データの種別（種類）を示す種別４２０と、代行実施の結果を示す実施結果４２１とを含む。図６では、代行実施結果データＴ３は、種別４２０が、「代行実施結果」であり、実施結果４２１が、「ＯＫ」である例を示している。実施結果４２１の「ＯＫ」とは代行の実施が成功したことを示しており、仮に失敗した場合には「ＮＧ」が設定される。複合機１００は、モバイル端末２００から当該代行実施結果データＴ３を受信することにより、モバイル端末２００に指示した代行処理の結果を確認することができる。
【００５０】
（Ａ−２）実施形態の動作
次に、以上のような構成を有するこの実施形態の情報処理システム１の動作を、図面を参照しながら説明する。
【００５１】
図７は、情報処理システムの動作（モバイル端末が実行するファイルサーバへの接続設定）を示す説明図である。図７で示す処理は、ユーザがモバイル端末２００のアプリケーション部２０４のガイドに従い、操作パネル部２０１を操作することにより実行される。
【００５２】
モバイル端末２００（制御部２０６）は、ユーザによる操作パネル部２０１の操作により、アプリケーション部２０４を起動する。アプリケーション部２０４は、ファイルサーバ３００への接続を設定する初期画面である画面Ａ１０１を操作パネル部２０１に表示する。画面Ａ１０１は、ネットワークＮに接続するファイルサーバ３００を検索する処理を実行する検索ボタンＢ１０と、ファイルサーバ３００のアドレスを直接入力する処理を実行する直接入力ボタンＢ１１を有する。
【００５３】
アプリケーション部２０４は、ユーザにより検索ボタンＢ１０が押下されると、ファイルサーバ３００の検索処理を実行する。そして、アプリケーション部２０４は、その検索結果の一覧を示す画面Ａ１０２を操作パネル部２０１に表示する。なお、アプリケーション部２０４は、種々様々な通信プロトコルを用いて、ネットワークＮ上に接続されているファイルサーバ３００の検索を行うことができるが、例えば、ＮｅｔＢＩＯＳのＮａｍｅＳｅｒｖｉｃｅを用いることができる。画面Ａ１０２は、ファイルサーバ３００であるＳｅｒｖｅｒ１を示すアイコンＢ２１と、Ｓｅｒｖｅｒ２を示すアイコンＢ２２と、Ｓｅｒｖｅｒ３を示すアイコンＢ２３とを有する。アプリケーション部２０４は、ユーザによりアイコンＢ２１〜Ｂ２３のいずれかが選択（押下）されると、後述する画面Ａ１０４を表示する。なお、図７は、ユーザによりアイコンＢ２１（Ｓｅｒｖｅｒ１）が選択された例を示している。
【００５４】
一方、アプリケーション部２０４は、ユーザにより画面Ａ１０１上の直接入力ボタンＢ１１が押下されると、ファイルサーバ名（アドレス）を入力する画面Ａ１０３を操作パネル部２０１に表示する。画面Ａ１０３は、ファイルサーバ名を入力する入力欄Ｂ３０と、入力したファイルサーバ名で検索処理を実行する検索実行ボタンＢ３１とを有する。アプリケーション部２０４は、入力欄Ｂ３０にファイルサーバ名が入力された状態で、検索実行ボタンＢ３１が押下されると、後述する画面Ａ１０４を表示する。なお、アプリケーション部２０４は、検索を実行したが、入力されたファイルサーバ名が見つからない場合には、例えば、その旨をユーザに通知する画面（図示せず）を操作パネル部２０１に表示する。
【００５５】
アプリケーション部２０４は、画面Ａ１０２で所定のファイルサーバ３００が選択されるか、又は画面Ａ１０３で直接入力したファイルサーバ３００がヒットすると、当該ファイルサーバ３００へログインするための画面Ａ１０４を表示する。画面Ａ１０４は、ユーザ名を入力する入力欄Ｂ４０と、パスワードを入力する入力欄Ｂ４１と、入力したユーザ名とパスワードを基にファイルサーバ３００にログインするログインボタンＢ４２とを有する。アプリケーション部２０４は、入力欄Ｂ４０にユーザ名と、入力欄Ｂ４１にパスワードが入力された状態で、ログインボタンＢ４２が押下されると、後述する画面Ａ１０５を表示する。なお、アプリケーション部２０４は、パスワード入力の間違い等により、ログインに失敗した場合には、例えば、その旨をユーザに通知する画面（図示せず）を操作パネル部２０１に表示する。
【００５６】
アプリケーション部２０４は、画面Ａ１０４で正常にログイン処理が行われると、ファイルサーバ３００（図７の例では、Ｓｅｒｖｅｒ１）で利用可能な共有フォルダの一覧を示す画面Ａ１０５を操作パネル部２０１に表示する。画面Ａ１０５は、共有フォルダを、ツリー構造で示しており、最上位の共有フォルダ（Ｃｏｍｍｏｎ）を示すアイコンＢ５０と、Ｃｏｍｍｏｎフォルダ直下に存在するフォルダ（ｔｅｓｔｕｓｅｒ１）を示すアイコンＢ５１と、フォルダ（ｔｅｓｔｕｓｅｒ２）を示すアイコンＢ５２とを有する。
【００５７】
アプリケーション部２０４は、画面Ａ１０５に存在するアイコンＢ５０〜Ｂ５２のいずれかが選択されると、これまでの情報を基にサーバ接続設定データＴ１（図４）を作成して、記憶部２０５に記憶する（図７の例では、ｔｅｓｔｕｓｅｒ１のフォルダが選択された例を示している）。
【００５８】
なお、モバイル端末２００（制御部２０６）は、操作パネル部２０１に画面Ａ１０５が表示された状態（アイコンＢ５０〜Ｂ５２のいずれかが選択された状態）で、ユーザにより当該モバイル端末２００が複合機１００にかざされる（ＮＦＣデータが送受信できる範囲内に接近される）と、作成したサーバ接続設定データＴ１を複合機１００に送信しても良い。複合機１００では、ＳｃａｎＴｏＳｅｒｖｅｒ設定受信モードに移行した状態（後述するステップＳ１０１の処理）で、サーバ接続設定データＴ１を受信し、サーバへの接続設定を行うことになる（後述するステップＳ１０２以下の処理）。
【００５９】
次に、複合機１００が実行するＳｃａｎＴｏＳｅｒｖｅｒ機能について説明を行う。
【００６０】
図８は、情報処理システムの動作（複合機が実行するＳｃａｎＴｏＳｅｒｖｅｒ）を示すフローチャートである。
【００６１】
複合機１００（制御部１１０）は、ユーザによる操作パネル部１０５の操作（図示せず）により、モバイル端末２００から近距離無線通信部１０４を介してサーバ接続設定データＴ１を受信するモードであるＳｃａｎＴｏＳｅｒｖｅｒ設定受信モードに移行する（Ｓ１０１）。
【００６２】
制御部１１０は、モバイル端末２００からＮＦＣデータ（サーバ接続設定データＴ１）を受信できたか否か判定を行う（Ｓ１０２）。制御部１１０は、モバイル端末２００からサーバ接続設定データＴ１を受信できた場合には、次の処理を行い、受信できなかった場合には当該データを受信できるまで待機を続ける。
【００６３】
制御部１１０は、ＳｃａｎＴｏＳｅｒｖｅｒの実行を行うか否かを選択させる画面(以下、「ＳｃａｎＴｏＳｅｒｖｅｒ実行可否画面」とも呼ぶ。)を操作パネル部１０５に表示する（Ｓ１０３）。図９は、ＳｃａｎＴｏＳｅｒｖｅｒ実行可否画面の一例を示す説明図である。図９において、ＳｃａｎＴｏＳｅｒｖｅｒ実行可否画面５００は、所定のメッセージ（図９の例では、「モバイル端末で接続したサーバを接続先に指定してＳｃａｎＴｏＳｅｒｖｅｒを実行しますか？」の文言）を表示する表示欄５０１と、ＳｃａｎＴｏＳｅｒｖｅｒの実行を肯定する肯定ボタンＢ５０２と、ＳｃａｎＴｏＳｅｒｖｅｒの実行を否定する否定ボタンＢ５０３とを有する。
【００６４】
制御部１１０は、ＳｃａｎＴｏＳｅｒｖｅｒ実行可否画面５００の操作により、ＳｃａｎＴｏＳｅｒｖｅｒの実行が受け付けられたか否か判定を行う（Ｓ１０４）。制御部１１０は、ＳｃａｎＴｏＳｅｒｖｅｒの実行が受け付けられた場合（肯定ボタンＢ５０２が押下された場合）には、次の処理を行い、ＳｃａｎＴｏＳｅｒｖｅｒの実行が受け付けられなかった場合（否定ボタンＢ５０３が押下された場合）には一連の処理を終了する。
【００６５】
制御部１１０は、モバイル端末２００から受信したサーバ接続設定データＴ１を記憶部１０８に記憶（保存）する制御を行う（Ｓ１０５）。
【００６６】
そして、制御部１１０は、画像読取部１０１により原稿が読み取られ、画像処理部１０２により所定の処理が施された画像データを、サーバ接続設定データＴ１に従い、ファイルサーバ３００の共有フォルダに送信（保存）する処理（ＳｃａｎＴｏＳｅｒｖｅｒ）を実行する（Ｓ１０６）。
【００６７】
制御部１１０は、ＳｃａｎＴｏＳｅｒｖｅｒの実行が成功したか否かの判定を行う（Ｓ１０７）。
【００６８】
制御部１１０は、ＳｃａｎＴｏＳｅｒｖｅｒの実行が成功した場合には、ＳｃａｎＴｏＳｅｒｖｅｒ実行に使用した設定値を記憶部１０８に記憶（登録・保存）して、一連の処理を終了する（Ｓ１０８）。
【００６９】
一方、制御部１１０は、ＳｃａｎＴｏＳｅｒｖｅｒの実行が失敗した場合には、複合機１００の代わりにモバイル端末２００がファイルサーバ３００の共有フォルダに画像データを送信（記憶）する処理（代行実施）を行うか否かを選択させる画面(以下、「代行実施選択画面」とも呼ぶ。)を操作パネル部１０５に表示する（Ｓ１０９）。
【００７０】
図１０は、代行実施選択画面の一例を示す説明図である。図１０において、代行実施選択画面６００は、所定のメッセージ（図１０の例では、「モバイル端末による代行を実施しますか？」の文言）を表示する表示欄６０１と、モバイル端末２００による代行実施を肯定する肯定ボタンＢ６０２と、モバイル端末２００による代行実施を否定する否定ボタンＢ６０３とを有する。
【００７１】
制御部１１０は、代行実施選択画面６００の操作により、モバイル端末２００による代行実施が受け付けられたか否か判定を行う（Ｓ１１０）。制御部１１０は、モバイル端末２００による代行実施が受け付けられた場合（肯定ボタンＢ６０２が押下された場合）には、次の処理を行い、モバイル端末２００による代行実施が受け付けられなかった場合（否定ボタンＢ６０３が押下された場合）には一連の処理を終了する。
【００７２】
制御部１１０は、通信部１０３を介して、先述の代行実施指示データＴ２をモバイル端末２００に送信する制御を行う（Ｓ１１１）。そして、複合機１００（制御部１１０）は、モバイル端末２００による代行実施の結果である代行実施結果データＴ３の受信を待つことになる。
【００７３】
制御部１１０は、モバイル端末２００から代行実施結果データＴ３を受信できたか否か判定する（Ｓ１１２）。制御部１１０は、モバイル端末２００から代行実施結果データＴ３を受信できた場合には、次の処理を行い、受信できなかった場合には受信できるまで待機を続ける。
【００７４】
制御部１１０は、モバイル端末２００による代行実施の結果を操作パネル部１０５に表示する（Ｓ１１３）。例えば、制御部１１０は、代行実施結果データＴ３の実施結果４２１が「ＯＫ」の場合には、モバイル端末２００による代行実施が成功したことを示す画面（代行実施成功画面）を表示する（図１２）。一方、制御部１１０は、代行実施結果データＴ３の実施結果４２１が「ＮＧ」の場合には、モバイル端末２００による代行実施が失敗したことを示す画面（代行実施失敗画面）を表示する（図１３）。
【００７５】
図１１は、情報処理システムの動作（モバイル端末が実行する代行実施の処理）を示すフローチャートである。図１１で示す処理は、先述の図８のステップＳ１１１からステップＳ１１２までの間にモバイル端末２００で実行される処理である。
【００７６】
モバイル端末２００（制御部２０６）は、通信部２０３を介して、複合機１００から代行実施指示データＴ２を受信できたか否か判定を行う（Ｓ２０１）。制御部２０６は、複合機１００から代行実施指示データＴ２を受信できた場合には、次の処理を行い、受信できなかった場合には受信できるまで待機を続ける。
【００７７】
制御部２０６は、受信した代行実施指示データＴ２から画像データ４１１（スキャンしたデータ）を抽出する制御を行う（Ｓ２０２）。
【００７８】
制御部２０６は、通信部２０３を介して、抽出した画像データをファイルサーバ３００の共有フォルダに送信（記憶）する制御を行う（Ｓ２０３）。
【００７９】
制御部１１０は、ファイルサーバ３００の共有フォルダに画像データが正常に送信されたか（書き込み成功か）否か判定を行う。（Ｓ２０４）。
【００８０】
制御部１１０は、画像データの送信（記憶）に成功した場合には、代行実施の成功を示す実施結果４２１が「ＯＫ」の代行実施結果データＴ３を複合機１００に送信する（Ｓ２０５）。
【００８１】
一方、制御部１１０は、画像データの送信（記憶）に失敗した場合には、代行実施の失敗を示す実施結果４２１が「ＮＧ」の代行実施結果データＴ３を複合機１００に送信する（Ｓ２０６）。
【００８２】
以上により、モバイル端末２００は、代行実施の処理を終了する。
【００８３】
（Ａ−３）実施形態の効果
この実施形態によれば、以下のような効果を奏することができる。
【００８４】
情報処理システム１（モバイル端末２００）は、ユーザに対してアプリケーション部２０４の支援（ガイド）を行うことにより、ＳｃａｎＴｏＳｅｒｖｅｒ機能を実行（利用）するための設定を間違い無く、且つ簡易に行うことが可能となった。
【００８５】
また、情報処理システム１は、複合機１００によるＳｃａｎＴｏＳｅｒｖｅｒが失敗した場合（通信環境の悪化等により、複合機１００からファイルサーバ３００へのアクセス不可の場合）でも、モバイル端末２００を介してファイルサーバ３００に画像データの送信を代行実施させることにより、ＳｃａｎＴｏＳｅｒｖｅｒの成功率を上昇させることが可能となった。
【００８６】
（Ｂ）他の実施形態
本発明は、上記の実施形態に限定されるものではなく、以下に例示するような変形実施形態も挙げることができる。
【００８７】
上記の実施形態では、画像処理装置として複合機１００を例に挙げて説明したが、この他にも種々様々な装置（例えば、ＦＡＸ、プリンタ等）に本発明を適用することができる。
【符号の説明】
【００８８】
１…情報処理システム、１００…複合機、１０１…画像読取部、１０２…画像処理部、１０３…通信部、１０４…近距離無線通信部、１０５…操作パネル部、１０６…操作部、１０７…表示部、１０８…記憶部、１０９…印刷部、１１０…制御部、２００…モバイル端末、２０１…操作パネル部、２０２…近距離無線通信部、２０３…通信部、２０４…アプリケーション部、２０５…記憶部、２０６…制御部、３００…ファイルサーバ、Ｍ…ネットワーク、Ｎ…ネットワーク、Ｔ１…サーバ接続設定データ、Ｔ２…代行実施指示データ、Ｔ３…代行実施結果データ。
【図１】
2017098828.tif 000003
【図２】
2017098828.tif 000004
【図３】
2017098828.tif 000005
【図４】
2017098828.tif 000006
【図５】
2017098828.tif 000007
【図６】
2017098828.tif 000008
【図７】
2017098828.tif 000009
【図８】
2017098828.tif 000010
【図９】
2017098828.tif 000011
【図１０】
2017098828.tif 000012
【図１１】
2017098828.tif 000013
【図１２】
2017098828.tif 000014
【図１３】
2017098828.tif 000015